(57)【要約】      （修正有）【課題】従来装置の欠点を解消して極めて輻射効率の良い炭素の遠赤外線を利用したドーム型遠赤外線炭素共鳴輻射器を提供する。【解決手段】炭素から輻射される遠赤外線を利用した共鳴式ドーム型輻射器１０であって、上部ドーム１２は下部ドーム１３を覆う形式でスライド可能であり、これらのドーム内側面には炭素の遠赤外線を照射するカーボンブラック・グラファイト・ポリマー面状輻射体が設けられ、これらのドームが載置されるマット上にはドーム内側面に設けられたカーボンブラックの遠赤外線を輻射する面状輻射体と同質同材を使った非電気式遠赤外線輻射シート２０が設けられた一体構造体であって、該遠赤外線輻射シートは不織布にカーボンブラック・グラファイト・ポリマーを含浸させたものであり、当該輻射シートは約９．２５６μｍの遠赤外線を放射する。【選択図】図３
2008237301.tif 000002
【特許請求の範囲】
【請求項１】
遠赤外線を利用したドーム型炭素共鳴輻射器であって、当該ドームが載置されるマット上には、ドーム内側面に設けられたカーボンブラック面状輻射体と同質同材を使った炭素の非電気式遠赤外線輻射シートが設けられ、ドーム内側面に設けられたカーボンブラック面状輻射体から放射される炭素の遠赤外線を吸収して、自己共鳴を可能とする構造を持ち、同時に身体に対して炭素の遠赤外線の照射を可能とする構造の非電気式遠赤外線輻射シートを有する炭素遠赤外線共鳴式ドーム型輻射器。
【請求項２】
炭素から輻射される遠赤外線を利用したドーム型炭素共鳴輻射器であって、半円筒型の上部ドームと下部ドームとを有し、上部ドームは下部ドームを覆う形式でスライド可能であり、これらのドーム内側面には炭素の遠赤外線を照射するカーボンブラック・グラファイト・ポリマー面状輻射体が設けられ、これらのドームが載置されるマット上にはドーム内側面に設けられたカーボンブラックの遠赤外線を輻射する面状輻射体と同質同材を使った非電気式遠赤外線輻射シートが設けられた一体構造体であって、該遠赤外線輻射シートは不織布にカーボンブラック・グラファイト・ポリマーを含浸させたものであり、当該輻射シートは約９．２５６μｍの遠赤外線を放射する構造の輻射シートと同質同材のドーム輻射体との一体構造を特徴とする炭素遠赤外線共鳴式ドーム型輻射器。
【発明の詳細な説明】
【技術分野】
【０００１】
本発明は炭素の遠赤外線を利用した共鳴式ドーム型輻射器に係り、特に、遠赤外線照射手段からの遠赤外線エネルギーを効率良く利用し、更に、身体から放射された熱も再度遠赤外線に変換して利用することにより、身体乾燥重量の約３分の２を占める炭素分子間共鳴作用を活発にすると共に、消費電力を低減し、極めて効率良く発汗させることのできる炭素の遠赤外線利用の共鳴式ドーム型輻射器を提供するものである。
【背景技術】
【０００２】
従来から遠赤外線を利用したドーム型温熱器は知られている。
従来公知の温熱器を図１０及び図１１により説明すると、このようなドーム型温熱器本体０１は２個の半円筒型の上部ドーム０２及び下部ドーム０３から構成されている。そして、各ドームのそれぞれの内周面にはコードヒーター、セラミックヒーター、エポキシラミネートヒーター、グラフトカーボンヒーター等の発熱体０４，０４が設けられている。
【０００３】
利用者は図１０に示すように、身体Ｂのほぼ全域を両ドーム０２，０３内に置き、マット０５上で仰向き又は俯せて横になり、上記発熱体０４（Ａ），０４（Ｂ）からの遠赤外線の照射を受けることにより発汗を促すものである。
【０００４】
このような公知の装置にあっては、上記発熱体から発生する遠赤外線は一般に８μｍ〜１４μｍの波長帯の電磁波を発生する帯域が良いとされており、これにより体全身からの発汗を促し、血行を良好にし、健康増進を図るものである。
【特許文献１】特開２００４−６５８８４号公報
【発明の開示】
【発明が解決しようとする課題】
【０００５】
ところで、上記のごとき従来公知の遠赤外線を利用したドーム型温熱器にあっては、例えば図１０、１１からも明らかなように、上部ドーム０２及び下部ドーム０３の内面の発熱体０４（Ａ），０４（Ｂ）から発せられた遠赤外線（図の矢印参照）は、その多くの部分が利用者の身体Ｂに照射されるけれども、また多くの遠赤外線は身体Ｂに照射されることなく、例えばマット０５を通過することとなる。
【０００６】
そして、上記身体Ｂに遠赤外線が照射されて体温が上昇した結果、多量の熱が身体Ｂから発散するけれども、このような輻射線は身体を中心に放射状に発散するため、その多くがマット０５を透して例えばベッド下方に放散されることとなり、熱エネルギー効率が低いという欠点があった。
【０００７】
更に、温度が上昇した身体からの熱は上記マット０５を介する熱伝導によっても、その多くの部分がドーム外に発散されることとなり、熱エネルギー効率の低下の一因となっていた。
一方、マットやシートに発熱体を装備する他の公知の形式によれば、発熱体からの熱が直接身体に伝達されることにより低温やけどを生ずる恐れもあった。
【０００８】
本発明はこのような点に鑑み、上記従来装置の欠点を解消して極めて輻射効率の良い炭素の遠赤外線を利用した炭素遠赤外線共鳴式ドーム型輻射器を提供するものである。
【課題を解決するための手段】
【０００９】
本発明は炭素から輻射される遠赤外線を利用した共鳴式ドーム型輻射器であって、半円筒型の上部ドームと下部ドームとを有し、上部ドームは下部ドームを覆う形式でスライド可能であり、これらのドーム内側面には炭素の遠赤外線を照射するカーボンブラック・グラファイト・ポリマー面状輻射体が設けられ、これらのドームが載置されるマット上にはドーム内側面に設けられたカーボンブラックの遠赤外線を輻射する面状輻射体と同質同材を使った非電気式遠赤外線輻射シートが設けられた一体構造体であって、該遠赤外線輻射シートは不織布にカーボンブラック・グラファイト・ポリマーを含浸させたものであり、当該輻射シートは約９．２５６μｍの遠赤外線を放射する構造の輻射シートと同質同材のドーム輻射体との一体構造を特徴とする。
【発明の効果】
【００１０】
本発明の炭素遠赤外線共鳴式ドーム型輻射器によれば、ドーム内側面の面状輻射体から放射された炭素の遠赤外線のうち、身体に直接照射されなかった部分のエネルギーは、カーボンブラック・グラファイト・ポリマーを含浸させた遠赤外線輻射シートに吸収され炭素分子の共鳴活動を促し、又、伝導熱により与えられたエネルギーも遠赤外線輻射シートの炭素分子の共鳴活動を促す。併せて、身体背部にある遠赤外線輻射シートは身体温度の上昇に合わせ、遠赤外線の輻射量をも増大させることができ、再度身体下部から遠赤外線として照射されるので、遠赤外線を無駄なく使用し、従来放散されてしまった遠赤外線をも利用し極めて効率良く発汗させることが出来る。
更に、ドーム内側面の面状輻射体から放射される遠赤外線の波長と異なる波長の遠赤外線がカーボンブラック・グラファイト・ポリマーを含浸させたシートより放射させることにより、従来共鳴が困難であった別の身体内炭素の分子活動をも活発にさせることができる。
【発明を実施するための最良の形態】
【００１１】
本発明の実施の形態を図１〜図４により説明する。
図１は本発明に係る炭素遠赤外線共鳴式ドーム型輻射器１０の斜視図であり、図２は図１の一部断面を示す正面図である。
マット１５上に載置された炭素遠赤外線共鳴式ドーム型輻射器１０は、従来公知のものと同様に上部ドーム１２及び下部ドーム１３を有しており、上部ドーム１２が前後にスライド可能とされている。
また、これら上部ドーム１２及び下部ドーム１３の内側面には、面状遠赤外線輻射体１４，１４が設けられている。なお、符号１６は一般的な枕を示している。
【００１２】
本発明の特徴的構成は図２から明らかなように、マット１５の上面に遠赤外線輻射シート２０を敷設し上部ドーム１２及び下部ドーム１３の輻射体と一体構造を構成したことである。
この遠赤外線輻射シート２０は、上記ドーム内側に設けられた面状輻射体と基本的に同様の性質を有する素材から成形されているが、具体的には、不織布に対してカーボンブラック・グラファイト・ポリマーを含浸させたシートを用いている。
【００１３】
そして、このようなカーボンブラック・グラファイト・ポリマーを含浸させた不織布からなるシートを、例えばビニールシートで被覆して作成された遠赤外線輻射シート２０は、少なくとも上記ドームの投影面積と同じ部分で、マット１５上に敷設するものである。この場合に、遠赤外線輻射シート２０自体には通電されることはない。通電するとこのヒータの上に接触して横臥した身体に伝導熱により低温やけどを生じる心配があるが、本発明の場合通電しないので、遠赤外線輻射シート２０がヒータになることはなく、低温やけどが発生する心配は全くなくなった。
【作用】
【００１４】
図３及び図４は、本発明の炭素遠赤外線共鳴式ドーム型輻射器による輻射線の伝達状態を示している。
上部及び下部ドーム１２，１３の内側面には、遠赤外線を放射する面状輻射体１４，１４が設けられているので、当該面状輻射体に通電することによって、図中の矢印Ｆ１，Ｆ１に示すように利用者の身体Ｂに対して炭素の遠赤外線が放射される。
【００１５】
このような構造の各ドーム１２，１３からの遠赤外線は、この輻射体の温度が通常６０℃であるので、輻射される遠赤外線電磁波の波長はヴイーンの変位法則により約８．７μｍであり、身体Ｂは先ずこの波長の遠赤外線によって輻射され生体反応を起こし、体温を上昇させて血行を促進させて発汗を促すけれども、他の部分は直接マット方向に照射される。また、より暖まった身体Ｂからは多くの熱が放出され、あるいはその熱がビニールカバー（図示せず）を介して遠赤外線輻射シート２０に照射伝達される。
【００１６】
この時、カーボンブラック・グラファイト・ポリマーを含浸された遠赤外線輻射シート２０は、ドーム内の炭素の遠赤外線輻射体１４，１４より放射された遠赤外線と身体Ｂからの輻射熱及び伝導熱を全て吸収し、例えば４０℃まで上昇したらこのシートもヴイーンの変位法則により約９．２５６μｍの遠赤外線を矢印Ｆ２，Ｆ２方向から同時に放射する。
【００１７】
このため、利用者の身体Ｂには上記面状輻射体１４，１４からの遠赤外線Ｆ１，Ｆ１と輻射シート２０からの遠赤外線Ｆ２，Ｆ２が、身体Ｂの上下両面から加算されて同時に照射されることとなり、面状輻射体１４，１４に加えられた電気エネルギーの損失を防ぎ、且つ共鳴吸収が増力することとなり、極めて有効に増加されて、利用者の身体Ｂに伝達することができる。
【００１８】
本発明の炭素遠赤外線共鳴式ドーム型輻射器においては、装置に加えられた電気エネルギーを全て遠赤外線に変換し、しかも身体からの放射熱エネルギーをも再度遠赤外線に変換し、また、波長の異なる遠赤外線をも発生させ、身体Ｂに照射することにより、従来生体反応が困難とされていた不活性生体細胞群にも働きかけ、これらの共鳴活性化を促す極めてエネルギー、輻射効率の良い炭素遠赤外線共鳴式ドーム型輻射器を得ることができた。
【００１９】
即ち本発明によると、身体へ輻射される炭素の遠赤外線は各ドームから放射された遠赤外線量とシートからの炭素の遠赤外線輻射量の和となり、各ドームからの約８．７μｍの炭素遠赤外線の輻射を受けて、身体が生体反応した細胞群により体温上昇や発汗が行われたのに加えて、シート２０から放射される約９．２５６μｍの波長の炭素の遠赤外線により生体反応を起こす別のもう一つの細胞群が活性化されて加算されることにより、輻射されたドーム内側面からの炭素の遠赤外線量は増加しないで一定でも、対癒（対面）する身体側では約８．７μｍの炭素の遠赤外線に対応する細胞群の外に約９．２５６μｍの炭素の遠赤外線に対応する別の細胞群が対応する状態が起こって、これらの２種類のエネルギーが合計された炭素の遠赤外線効果が達成される。
従って、同じ電気出力なら５０％〜１００％余分に多く発汗をもたらし、同じ発汗量ならば電気出力を２０％〜３０％少なく供給することができるようにしたことを特徴とする、炭素遠赤外線共鳴式の炭素遠赤外線ドーム型輻射器を得ることが出来た。
【００２０】
本発明によると、同じ量の発汗は従来のものよりドーム内側面の遠赤外線輻射体に供給する電気出力を２０％〜３０％少なく供給しても得られる結果となり、この特性は、本発明により従来のドーム型温熱器と比較して省資源化がはかられることを意味する。
それと同時に、利用者自身に対しては同じ効果をあげながら、利用者の身体への侵襲性が少ないことになることを意味する。また、特に横臥状態で使用できる従来のドーム型温熱器は、長い病床にあって体力の衰えた病人の褥瘡予防に使用されている唯一の介護装置であるが、本発明の遠赤外線型炭素共鳴輻射器によれば体力の衰えた病人に侵襲性がより少なく、快適な状態で使用出来る環境が提供され、その有用性が本発明により格段に高まったと云える。
【００２１】
図５〜図１０は、本発明に係る炭素遠赤外線共鳴式ドーム型輻射器と、従来公知のドーム型温熱器との比較実験による発汗量の対比結果を示すデータ表の一部である。
すなわち、図５（レポートＮｏ．１９）及び図７（レポートＮｏ．２１）は、後述するごとき多数の実験による測定結果のうちの２日分の、従来式ドーム型温熱器による発汗量の測定値及び測定条件を示している。
【００２２】
具体的には、図５に示す測定記録は平成１８年１２月２日の測定結果を示すものであって、従来公知のドーム型温熱器を用いてドームのコントローラによる使用出力を、Ｌドーム＝赤４、Ｍドーム＝赤５（以下、色と数字で使用出力を表示している。）として、約２０分間の総発汗量を測定し、２００ｇの測定値を得ている。（レポートＮｏ．１９）
なお、以下に赤４、赤５等で示す値は、コントローラによる面発熱体の発熱（使用電力）を表わす表である。
【００２３】
更に、図７に示すレポートＮｏ．２１（平成１８年１２月４日）は、レポート１９と同様の装置でドームのコントローラによる使用出力をＬドーム＝赤３、Ｍドーム＝赤４とした時のもので、総発汗量２００ｇを得ている。（レポートＮｏ．２１）
【００２４】
一方、図６（レポートＮｏ．２０）及び図８（レポートＮｏ．２２）は本発明に係る炭素遠赤外線共鳴式ドーム型輻射器による発汗量の測定結果の一部であって、図６に示す測定記録は平成１８年１２月３日の測定結果を示している。本発明に係る炭素遠赤外線共鳴式ドーム型輻射器を用いて、Ｌドーム＝赤４、Ｍドーム＝赤５の使用出力と、上記レポートＮｏ．１９と同一条件により発汗量を測定している。
その結果総発汗量３５０ｇの測定値を得ている。（レポートＮｏ．２０）
【００２５】
同様に図８に示すレポートＮｏ．２２（平成１８年１２月５日）は、レポートＮｏ．２０と同様の装置でドームの出力をＬドーム＝赤３、Ｍドーム＝赤４（レポートＮｏ．２１と同一条件）として、その時の総発汗量３５０ｇを得ている。（レポートＮｏ．２２）
すなわち、図５に示すレポートＮｏ．１９の場合の総発汗量に対して、同じ出力その他の条件において高い発汗量を得ていることが判る。
【００２６】
図９は、上記従来公知の装置及びこのような装置の床部に対して炭素を含浸しない不織布を設けた装置を用いた測定結果と、本発明の装置を用いた測定結果とをそれぞれ比較したグラフを示しており、それぞれの装置に対してコントローラによる使用出力を同一とした場合を対比させている。そして、これら装置の同一条件における発汗量を比較できるように表示している。
また、多数の比較測定結果のうちの従来公知の装置（Ｓ型）及び本発明に係る装置（ＣＣＲ型）については、平成１８年１２月２日から平成１８年１２月１８日までに測定された結果のみが記載されている。
更に、床部に炭素を含浸させない不織布を用いた装置（図９における「白地不織布セットマット付」におけるデータ、図示せず）は、平成１９年２月８日から平成１９年２月１８日までの測定結果を△印で記載している。
【００２７】
同図から明らかなように、×印で示す従来型装置（Ｓ型）の発汗量及び△印で示す炭素非含浸不織布使用装置の発汗量と●印で示す本発明装置（ＣＣＲ型）による発汗量では、同一の使用出力条件でのそれぞれの対比において、いずれも略１５０〜２００ｇの発汗量の差が認められる。
すなわち、本発明に係る炭素遠赤外線共鳴式ドーム型輻射器によれば、カーボン面状発熱体１４，１４から放射された遠赤外線エネルギーを無駄なく身体に照射することができ、同一使用出力によって非常に多くの発汗量を得ることができた。
【図面の簡単な説明】
【００２８】
【図１】本発明に係る炭素遠赤外線共鳴式ドーム型輻射器の斜視図である。
【図２】図１の一部断面を示す正面図である。
【図３】本発明に係る炭素遠赤外線共鳴式ドーム型輻射器の遠赤外線照射説明図である。
【図４】本発明に係る炭素遠赤外線共鳴式ドーム型輻射器の遠赤外線照射説明図である。
【図５】従来装置による実験データ記載表である。
【図６】本発明装置による実験データ記載表である。
【図７】従来装置による実験データ記載表である。
【図８】本発明装置による実験データ記載表である。
【図９】各装置による実験データの対比説明図である。
【図１０】従来公知の遠赤外線ドーム型温熱器の縦断面図である。
【図１１】従来公知の遠赤外線ドーム型温熱器の横断面図である。
【符号の説明】
【００２９】
１０  炭素遠赤外線共鳴式ドーム型輻射器
１２  上部ドーム
１３  下部ドーム
１４  カーボン面状輻射体
１５  マット
２０  遠赤外線輻射シート
Ｆ１  照射遠赤外線
Ｆ２  輻射遠赤外線
【図１】
2008237301.tif 000003
【図２】
2008237301.tif 000004
【図３】
2008237301.tif 000005
【図４】
2008237301.tif 000006
【図５】
2008237301.tif 000007
【図６】
2008237301.tif 000008
【図７】
2008237301.tif 000009
【図８】
2008237301.tif 000010
【図９】
2008237301.tif 000011
【図１０】
2008237301.tif 000012
【図１１】
2008237301.tif 000013